(57)【要約】【課題】  折り畳み式の外箱と引出しで組成され、折り畳んで最小の体積として収納するのに便利で、使用時に相当に便利な折り畳み式収納箱の提供。【解決手段】  外箱と引出しが軟質材料を縫製してなり、それぞれ内部に回動可能な支持板と固定された支持板が設けられ、別に内部に可動支持板が設けられて使用時の全体の強度を増し、並びに外箱後壁の所定位置に開孔が設けられ、該開孔により外箱内に真空現象が発生するのを防止し、引出しを引き出しやすくする。【選択図】        図３
0003111791.tif 000002
【実用新案登録請求の範囲】
【請求項１】
折り畳み式の外箱と引出しで組成されて、折り畳み収納に便利で最小の体積とすることができ、使用に便利である折り畳み式収納箱において、
該外箱は軟質材料を縫製してなり前方に開口を具えた袋体であり、二つの等しいサイズの固定支持板が袋体内側の上面と底面に固定され、並びに左右二側に回動可能な支持板が縫い付けられ、該回動可能な支持板はその下辺縁が直接底面の固定支持板の左右二辺縁に縫合され、並びに外箱の後壁の所定位置に開孔が開設され、並びに開孔に濾過網が取り付けられ、外箱底部に防滑処理された材料が採用され、別に外箱の後壁形状に合った可動支持板が設けられ、該可動支持板の中央に開孔が開設され、且つその一端の所定位置にプルリングが設けられ、
該引出しは、軟質材料を縫製してなり上方に開口を具えた袋体とされ、並びに二つの等しいサイズの固定支持板が袋体の内側の前面と後面に固定され、並びに左右二側に回動可能な支持板が縫い付けられ、該回動可能な支持板の上辺縁が直接引出しの袋体の左右二側上端に縫合され、且つ引出しの前方正面にハンドルが取り付けられ、別に引出しの底部にそのサイズに合わせた可動支持板が取り付けられ、且つ可動支持板の一端の所定位置にプルリングが設けられたことを特徴とする、折り畳み式収納箱。
【請求項２】
請求項１記載の折り畳み式収納箱において、支持板が裁断された硬質板材とされたことを特徴とする、折り畳み式収納箱。
【請求項３】
請求項１記載の折り畳み式収納箱において、外箱底部に防滑パッドが固定されたことを特徴とする、折り畳み式収納箱。
【請求項４】
請求項１記載の折り畳み式収納箱において、外箱の可動支持板の開孔に濾過網が取り付けられたことを特徴とする、折り畳み式収納箱。
【請求項５】
請求項１又は４記載の折り畳み式収納箱において、濾過網が防虫効果を具えた糸を編成して形成されたことを特徴とする、折り畳み式収納箱。
【請求項６】
請求項１記載の折り畳み式収納箱において、ハンドルが前方面板に開孔を設ける形式で形成されたことを特徴とする、折り畳み式収納箱。
【請求項７】
請求項１記載の折り畳み式収納箱において、引出しの上方開口部分の辺縁に蓋が増設され、且つ引出しの蓋周囲にスライドファスナーが取り付けられて引出し開口周囲のスライドファスナーと相互に結合可能とされたことを特徴とする、折り畳み式収納箱。
【請求項８】
請求項７記載の折り畳み式収納箱において、引出しの蓋が軟性材料で形成されたことを特徴とする、折り畳み式収納箱。
【請求項９】
請求項７記載の折り畳み式収納箱において、引出しの蓋が硬質材料で形成されたことを特徴とする、折り畳み式収納箱。
【考案の詳細な説明】
【技術分野】
【０００１】
本考案は折り畳み式収納箱に係り、特に折り畳んで収納できる保存箱構造であって、外箱と引出しで組成され、外箱と引出し内に縫い付けられた支持板を利用し、急速開放使用と引出しの引き出し動作の容易さの長所を達成した折り畳み式収納箱に関する。
【背景技術】
【０００２】
一般家庭中或いは会社での物品の収納には異なる形式の保存箱が多く使用され、このため空間を節約し、箱体重量を軽減し、収納に便利とするため、市場には各種の異なるタイプの保存箱が出現し、それには多層式のもの、単層式のもの、プラスチック材質のもの、不織布材質のもの、開閉蓋式のもの、引出し式のもの等があり、ここでは折り畳み式収納箱について討論する。
【０００３】
図１、２は周知の折り畳み式収納箱であり、開閉蓋式とされ、該収納箱ａは蓋ａ１と箱体ａ２で組成され、そのうち、箱体ａ２は軟質材料に硬質材料を加えて折り畳み式とされ、さらに蓋ａ１が箱体ａ２の上方の開口を閉じることができる。このような開閉蓋式の設計は収納に便利な長所を有するが、積み重ねて使用する時、内部の物品が重過ぎて側辺の硬質板材が負荷に耐えられずにつぶれることがあり、且つ単層積み重ねの方式で収納箱ａを放置する時、その蓋ａ１が箱体ａ２の上方にあるため、収納箱ａをそれぞれ取り出した後でなければ収納作業を行なえない欠点がある。
【考案の開示】
【考案が解決しようとする課題】
【０００４】
本考案の主要な目的は、一種の折り畳み式収納箱を提供することにあり、それは使用に便利であるのみならず、全体の箱体の強度が増されたものとする。
【０００５】
本考案の次の目的は、一種の折り畳み式収納箱を提供することにあり、それは引出しの引き出し操作が容易である折り畳み式収納箱の外箱構造を具えたものとする。
【０００６】
上述の目的を達成するため、本考案は一種の折り畳み式収納箱を提供し、それは、外箱と引出しで組成され、該外箱と引出しが軟質材料を縫製してなり、それぞれ内部に回動可能な支持板と固定された支持板が設けられ、別に内部に２片の、外箱と引出し内部に取り付けられる可動支持板が設けられ、該可動支持板は硬質板材を裁断してなり、且つ外箱の底部に防滑処理した材料が採用され、引出しの前方にハンドルが取り付けられる。また、外箱後壁の所定位置に通風効果を具えた開孔が設けられ、該開孔に害虫の進入を防止する濾過網が設けられ、外箱内の可動支持板に開孔が開設される。
【０００７】
以上の構造が使用される時、外箱の上面の固定支持板が上向きに引っ張られ、更に内部の二側の回動可能な支持板が直立させられて外箱の二側壁の軟質材料に当接させられ、回動可能な支持板の上辺縁と下辺縁が外箱内部上面と底面の固定支持板に当接させられ、更に外箱の可動支持板が外箱後壁の内面に置かれ、外箱の開孔と可動支持板の開孔の位置が合わされ、開口が前向きの外箱が形成される。引出しの前後の二面の固定支持板が前向き、後ろ向きに引っ張られ、並びに左右二側の回動可能な支持板が直立させられて左右二側壁の軟質材料に当接させられ、回動可能な支持板の前、後辺縁が引出し内部前面と後面の固定支持板に当接させられ、並びに可動支持板が引出しの底部に置かれ、開口が上向きの引出しが形成され、並びに完成後の引出しが外箱の空間内に置かれ、組立が完成する。その使用は十分に便利であり、且つ外箱と引出し周囲の側壁がいずれも硬質板材で形成された支持板で支持され、これにより全体の折り畳み式収納箱の強度が増される。また、外箱後壁の所定位置に開孔が開設され並びに通風効果と害虫進入防止の濾過網が取り付けられ、外箱内に取り付けられる可動支持板にも開孔が開設され、外箱内に真空現象が発生するのを防止し、引き出し操作が行ないやすいものとされる。且つ外箱底部が防滑処理された材料で形成され、折り畳み式収納箱が積み重ねられた後の、引出しの引き出し操作時に形成される相対滑動が防止される。
【課題を解決するための手段】
【０００８】
請求項１の考案は、折り畳み式の外箱と引出しで組成されて、折り畳み収納に便利で最小の体積とすることができ、使用に便利である折り畳み式収納箱において、
該外箱は軟質材料を縫製してなり前方に開口を具えた袋体であり、二つの等しいサイズの固定支持板が袋体内側の上面と底面に固定され、並びに左右二側に回動可能な支持板が縫い付けられ、該回動可能な支持板はその下辺縁が直接底面の固定支持板の左右二辺縁に縫合され、並びに外箱の後壁の所定位置に開孔が開設され、並びに開孔に濾過網が取り付けられ、外箱底部に防滑処理された材料が採用され、別に外箱の後壁形状に合った可動支持板が設けられ、該可動支持板の中央に開孔が開設され、且つその一端の所定位置にプルリングが設けられ、
該引出しは、軟質材料を縫製してなり上方に開口を具えた袋体とされ、並びに二つの等しいサイズの固定支持板が袋体の内側の前面と後面に固定され、並びに左右二側に回動可能な支持板が縫い付けられ、該回動可能な支持板の上辺縁が直接引出しの袋体の左右二側上端に縫合され、且つ引出しの前方正面にハンドルが取り付けられ、別に引出しの底部にそのサイズに合わせた可動支持板が取り付けられ、且つ可動支持板の一端の所定位置にプルリングが設けられたことを特徴とする、折り畳み式収納箱としている。
請求項２の考案は、請求項１記載の折り畳み式収納箱において、支持板が裁断された硬質板材とされたことを特徴とする、折り畳み式収納箱としている。
請求項３の考案は、請求項１記載の折り畳み式収納箱において、外箱底部に防滑パッドが固定されたことを特徴とする、折り畳み式収納箱としている。
請求項４の考案は、請求項１記載の折り畳み式収納箱において、外箱の可動支持板の開孔に濾過網が取り付けられたことを特徴とする、折り畳み式収納箱としている。
請求項５の考案は、請求項１又は４記載の折り畳み式収納箱において、濾過網が防虫効果を具えた糸を編成して形成されたことを特徴とする、折り畳み式収納箱としている。
請求項６の考案は、請求項１記載の折り畳み式収納箱において、ハンドルが前方面板に開孔を設ける形式で形成されたことを特徴とする、折り畳み式収納箱としている。
請求項７の考案は、請求項１記載の折り畳み式収納箱において、引出しの上方開口部分の辺縁に蓋が増設され、且つ引出しの蓋周囲にスライドファスナーが取り付けられて引出し開口周囲のスライドファスナーと相互に結合可能とされたことを特徴とする、折り畳み式収納箱としている。
請求項８の考案は、請求項７記載の折り畳み式収納箱において、引出しの蓋が軟性材料で形成されたことを特徴とする、折り畳み式収納箱としている。
請求項９の考案は、請求項７記載の折り畳み式収納箱において、引出しの蓋が硬質材料で形成されたことを特徴とする、折り畳み式収納箱としている。
【考案の効果】
【０００９】
本考案は折り畳み式収納箱の構造を改良し、折り畳み式の外箱と引出しで構成し、その内部に可動支持板を取り付けて使用時の全体の箱体強度を増し、並びに外箱の後壁の所定位置に開孔を設けて通風効果を設けると共に害虫の進入を防止する濾過網を設け、外箱内に真空現象が発生するのを防止し、引き出し操作が行ないやすくしている。
【考案を実施するための最良の形態】
【００１０】
図３、４に示されるように、本考案の折り畳み式収納箱は、外箱１０と引出し２０で組成されている。
【００１１】
そのうち、外箱１０は軟質材料を縫製してなり前方に開口を具えた袋体１１であり、支持板は裁断された硬質材料とされ、並びに二つの等しいサイズの固定支持板１２が袋体１１内側の上面と底面に固定され、並びに左右二側に回動可能な支持板１３が縫い付けられ、該回動可能な支持板１３はその下辺縁が直接底面の固定支持板１２の左右二辺縁に縫合され、並びに外箱１０の後壁の所定位置に開孔１４が開設され、並びに開孔１４に濾過網１４ａが取り付けられ（この濾過網１４ａは防虫効果を有する糸を編成して形成することで、更に良好な防虫効果を具備するものとされる）、その外箱１０底部に防滑処理された材料１５が採用され（或いはその底部に防滑パッドが固定される）、また、外箱１０の後壁形状に合った可動支持板１６があり、該可動支持板１６の中央に開孔１６ａが開設され（且つ該開孔１６ａにも濾過網１６ａ１を取り付け可能である）、且つその一端の所定位置にプルリング１６ｂがある。
【００１２】
引出し２０は、軟質材料を縫製してなり上方に開口を具えた袋体２１とされ、並びに二つの等しいサイズの固定支持板２２が袋体２１の内側の前面と後面に固定され、並びに左右二側に回動可能な支持板２３が縫い付けられ、該回動可能な支持板２３はその上辺縁が直接袋体２１の左右二側上端に縫合され、且つ引出し２０の前方正面にハンドル２４が取り付けられ、該ハンドル２４はまた前方面板の開孔の方式とされても同じ目的を達成できる。また引出し２０の底部にそのサイズに合わせた可動支持板２５が取り付けられ、且つ可動支持板２５の一端の所定位置にプルリング２５ａがある。
【００１３】
図５から図８に示されるように、上述の構造が組立られる時にいは、先ず外箱１０の上面の固定支持板１２が上に引っ張られ、並びに内部二側の回動可能な支持板１３が直立させられて外箱１０の二側壁の軟質材料に当接させられ、回動可能な支持板１３の上、下辺縁がそれぞれ外箱１０の内部上面と底面の固定支持板１２に当接させられ、さらに外箱１０の可動支持板１６が外箱１０後壁の内面に置かれ、外箱１０の開孔１４と可動支持板１６の開孔１６ａの位置が合わされて、開口が前向き外箱１０が形成される。引出し２０の前後二面の固定支持板２２がそれぞれ前、後ろに引っ張られて展開され、並びに左右二側の回動可能な支持板２３が直立させられて左右二側壁の軟質材料に当接させられ、これにより回動可能な支持板２３の前、後辺縁がそれぞれ引出し２０の内部前面と後面の固定支持板２２に当接させられ、並びに可動支持板２５が引出し２０底部に置かれ、こうして開口が上向きの引出し２０が形成され、並びに完成後の引出し２０が外箱１０の放置空間１０ａ内に置かれ、組立が完成する。
【００１４】
図９に示されるのは本考案の別の実施例であり、その引出し２０の上方開口部分の辺縁に蓋２６が増設され、該蓋２６の材質な軟性或いは硬質の材料とされ、且つ蓋２６の周囲にスライドファスナー２６ａが設けられて引出し２０の開口周囲のスライドファスナー２０ａと結合され、それは全体の箱体と組み合わせて使用されるか、或いは単独使用可能である。
【００１５】
総合すると、本考案の折り畳み式収納箱は、外箱と引出しで組成され、確実に使用に便利で、且つ全体の箱体強度が増され、且つ開孔に取り付けられて通風効果と防虫効果を具えた濾過網により、外箱に真空現象が発生するのを防止でき引き出し操作が容易である。ゆえに本考案は実用性と進歩性を具えている。
【図面の簡単な説明】
【００１６】
【図１】周知の構造の立体図（一）である。
【図２】周知の構造の立体図（二）である。
【図３】本考案の立体分解図である。
【図４】本考案の立体組合せ図である。
【図５】本考案の外箱の使用の表示図（一）である。
【図６】本考案の外箱の使用の表示図（二）である。
【図７】本考案の引出しの使用の表示図（一）である。
【図８】本考案の引出しの使用の表示図（二）である。
【図９】本考案の別の実施例表示図である。
【符号の説明】
【００１７】
１０  外箱                      ２０  引出し
１１、２１  袋体                １２、２２  固定支持板
１３、２３  回動可能な支持板    １４  開孔
１５  防滑処理された材料        １６、２５  可動支持板
１６ａ  開孔                    １４ａ、１６ａ１  濾過網
１６ｂ、２５ａ  プルリング      ２６  蓋
２０ａ、２６ａ  スライドファスナー      １０ａ  放置空間
【図１】
0003111791.tif 000003
【図２】
0003111791.tif 000004
【図３】
0003111791.tif 000005
【図４】
0003111791.tif 000006
【図５】
0003111791.tif 000007
【図６】
0003111791.tif 000008
【図７】
0003111791.tif 000009
【図８】
0003111791.tif 000010
【図９】
0003111791.tif 000011